(57)【要約】【課題】それぞれの装置に装着した放送再生用カードを他装置と共有することのできる放送受信装置および放送受信制御プログラムを得ること。【解決手段】第１および第２のデジタル放送受信装置２０１1、２０１2は、それぞれのカードスロット部２２２1、２２２2に放送再生用カード２１３1、２１３2を装着している。たとえば第１のデジタル放送受信装置２０１1は、情報通信路２０２を経て第２のデジタル放送受信装置２０１2と通信を行うことで、両放送再生用カード２１３1、２１３2の視聴契約の範囲で視聴する番組を選択できる。視聴する番組が第１および第２のデジタル放送受信装置２０１1、２０１2間で競合した場合には優先順位による調整を行う。【選択図】図２
2008054039.tif 000002
【特許請求の範囲】
【請求項１】
再生可能な放送の範囲をカード単位で特定するための放送再生用カードのいずれかを任意で選択して装着するために自装置に配置された放送再生用カード装着手段と、
この放送再生用カード装着手段に前記放送再生用カードが装着されているかどうかを判別する自装置放送再生用カード装着有無判別手段と、
伝送路を介して接続された１または複数の他装置に前記放送再生用カードのいずれかが装着されているかどうかをそれぞれ判別する他装置放送再生用カード装着有無判別手段と、
前記自装置放送再生用カード装着有無判別手段が自装置に放送再生用カードが装着されていると判別した状態で前記他装置放送再生用カード装着有無判別手段が前記他装置の少なくとも１つについて放送再生用カードの装着を判別したとき、自装置および装着を判別された全部の他装置の前記放送再生用カードによって特定された放送の全部を再生対象として選択可能にする放送選択手段
とを具備することを特徴とする放送受信装置。
【請求項２】
再生可能な放送の範囲をカード単位で特定するための放送再生用カードのいずれかを任意で選択して装着するために自装置に配置された放送再生用カード装着手段と、
この放送再生用カード装着手段に前記放送再生用カードが装着されているかどうかを判別する自装置放送再生用カード装着有無判別手段と、
伝送路を介して接続された１または複数の他装置に前記放送再生用カードのいずれかが装着されているかどうかを判別する他装置放送再生用カード装着有無判別手段と、
前記自装置放送再生用カード装着有無判別手段が自装置に放送再生用カードが装着されていると判別した状態で前記他装置放送再生用カード装着有無判別手段が他装置の少なくとも１つについて放送再生用カードの装着を判別したとき、自装置あるいは前記他装置に装着されている放送再生用カードが前記伝送路を介して接続された１または複数の他装置のいずれかによって使用されているかどうかを判別する他装置使用状況判別手段と、
この他装置使用状況判別手段が前記伝送路を介して接続された１または複数の他装置のいずれかが前記放送再生用カードを使用していると判別したとき、自装置と使用していると判別されたその他装置の放送の再生に関する優先順位を判別する優先順位判別手段と、
この優先順位判別手段が自装置の方が優先順位が高いと判別したとき、それぞれの放送再生用カードの特定した放送の全部を再生対象として選択可能にし、前記その他装置の方が優先順位が高いと判別したとき、前記その他装置の放送再生用カードの特定した放送分を除いてこれらの放送再生用カードによって特定した放送の全部を再生対象として選択可能にする放送選択手段
とを具備することを特徴とする放送受信装置。
【請求項３】
前記放送選択手段で選択した放送が前記他装置のいずれかに装着された放送再生用カードによる放送であるとき、前記伝送路を介して接続された他装置のいずれによってその放送再生用カードが使用されているかを判別する他装置使用状況判別手段と、
この他装置使用状況判別手段が判別した前記他装置と自装置の放送の再生に関する優先順位を判別する優先順位判別手段と、
この優先順位判別手段が自装置の方が優先順位が高いと判別したときのみ、その選択した放送を再生する放送再生手段
とを具備することを特徴とする請求項１記載の放送受信装置。
【請求項４】
再生可能な放送の範囲をカード単位で特定するための放送再生用カードのいずれかを任意で選択して装着するための放送再生用カード装着手段を備えた放送受信装置のコンピュータに、
自装置の前記放送再生用カード装着手段に前記放送再生用カードが装着されているかどうかを判別する自装置放送再生用カード装着有無判別処理と、
伝送路を介して接続された１または複数の他装置に前記放送再生用カードのいずれかが装着されているかどうかをそれぞれ判別する他装置放送再生用カード装着有無判別処理と、
前記自装置放送再生用カード装着有無判別処理で自装置に放送再生用カードが装着されていると判別した状態で前記他装置放送再生用カード装着有無判別処理で前記他装置の少なくとも１つについて放送再生用カードの装着を判別したとき、自装置および装着を判別された全部の他装置の前記放送再生用カードの特定した放送の全部を再生対象として選択可能にする放送選択処理
とを実行させることを特徴とする放送受信制御プログラム。
【請求項５】
再生可能な放送の範囲をカード単位で特定するための放送再生用カードのいずれかを任意で選択して装着するための放送再生用カード装着手段を備えた放送受信装置のコンピュータに、
自装置の前記放送再生用カード装着手段に前記放送再生用カードが装着されているかどうかを判別する自装置放送再生用カード装着有無判別処理と、
伝送路を介して接続された１または複数の他装置に前記放送再生用カードのいずれかが装着されているかどうかを判別する他装置放送再生用カード装着有無判別処理と、
前記自装置放送再生用カード装着有無判別処理で自装置に放送再生用カードが装着されていると判別した状態で前記他装置放送再生用カード装着有無判別処理によって他装置の少なくとも１つについて放送再生用カードの装着を判別したとき、自装置あるいは前記他装置に装着されている放送再生用カードが前記伝送路を介して接続された１または複数の他装置のいずれかによって使用されているかどうかを判別する他装置使用状況判別処理と、
この他装置使用状況判別処理で前記伝送路を介して接続された１または複数の他装置のいずれかが前記放送再生用カードを使用していると判別したとき、自装置と使用していると判別されたその他装置の放送の再生に関する優先順位を判別する優先順位判別処理と、
この優先順位判別処理で自装置の方が優先順位が高いと判別したとき、それぞれの放送再生用カードの特定した放送の全部を再生対象として選択可能にし、前記その他装置の方が優先順位が高いと判別したとき、前記その他装置の放送再生用カードの特定した放送分を除いてこれらの放送再生用カードによって特定した放送の全部を再生対象として選択可能にする放送選択処理
とを実行させることを特徴とする放送受信制御プログラム。
【請求項６】
前記放送選択処理によって選択した放送が前記他装置のいずれかに装着された放送再生用カードによる放送であるとき、前記伝送路を介して接続された他装置のいずれによってその放送再生用カードが使用されているかを判別する他装置使用状況判別処理と、
この他装置使用状況判別処理で判別した前記他装置と自装置の放送の再生に関する優先順位を判別する優先順位判別処理と、
この優先順位判別処理によって自装置の方が優先順位が高いと判別したときのみ、その選択した放送を再生する放送再生処理
とを更に実行させることを特徴とする請求項４記載の放送受信制御プログラム。
【発明の詳細な説明】
【技術分野】
【０００１】
本発明は、放送受信装置および放送受信制御プログラムに係わり、特別のカードを使用することを条件として、スクランブルを解除して視聴を可能にする限定受信方式の放送受信装置および放送受信制御プログラムに関する。
【背景技術】
【０００２】
デジタル放送を受信するデジタル放送受信装置に特別のＩＣ（Integrated Circuit）カード等のカードを装着させることで、正規のデジタル放送受信装置のみを使用可能にするシステムが広く導入されている。著作権保護の観点からとも言われており、Ｂ−ＣＡＳ（BS-Conditional Access System）カードがその例である。本明細書では、このような限定受信方式のためのカードを便宜的に放送再生用カードと呼ぶことにする。
【０００３】
デジタル放送への移行に伴って、各家庭ではテレビジョン受信機や録画装置のような複数のデジタル放送受信装置が使用されるようになっている。これらのデジタル放送受信装置は、放送再生用カードを装着して、視聴する番組データのスクランブル（scramble）の解除あるいは暗号の解除を行うことが必要となっている。これは、たとえば有料放送やある種の公共放送を正規のデジタル放送受信装置を使用して受信することを確保するためのものである。
【０００４】
したがって、たとえばある家庭でテレビジョン受信機と録画装置といった２台のデジタル放送受信装置を所有しているような場合、それぞれのデジタル放送受信装置ごとに視聴サービスに係わる放送再生用カードを個別に装着して使用してもよいし、１枚の放送再生用カードを使用対象のデジタル放送受信装置にその都度、装着して、その視聴サービスを受けるようにしてもよい。
【０００５】
ところが、それぞれのデジタル放送受信装置ごとに１枚ずつ放送再生用カードを用意するようにすると、その家庭でデジタル放送受信装置を新しく購入するたびに、視聴サービス用の放送再生用カードを所持するための視聴契約を繰り返し行う必要があり、煩雑であり、また経済的な問題となる場合もある。このような問題を解消するために、１枚の放送再生用カードを使用機器ごとに「たらい回し」にすることも可能である。ところが、この後者の場合にはデジタル放送受信装置の使用を代えるたびに、１枚の放送再生用カードを装置にセットし直す手間が必要になる。この作業は面倒であるだけでなく、放送再生用カードを移動途中で紛失させたり、破損させる危険性もある。放送再生用カードが紛失したり、破損すると、再発行までデジタル放送受信装置を番組の視聴のために使用できなくなるだけでなく、カードの再発行についての経済的な負担が掛かることになる。
【０００６】
そこで、放送再生用カードを管理サーバ側に共有物としてセットしておくことで、それぞれのデジタル放送受信装置でデジタル放送を視聴できるようにしたデジタル放送受信システムが第１の提案として提示されている（たとえば特許文献１参照）。この第１の提案では、複数の視聴契約に基づく複数のデジタル放送受信装置を使用する場合に、相互に視聴契約情報を融通するようにして、視聴者の使用状況に応じて適切な視聴環境を実現する。
【０００７】
図１１は、この第１の提案のデジタル放送受信システムの概要を表わしたものである。デジタル放送受信システム１００を構成する第１〜第３のデジタル放送受信装置１０１〜１０３は、視聴契約情報管理サーバ１０４と共に、ＬＡＮ（Local Area Network）を構成する通信ケーブル１０５に接続されている。視聴契約情報管理サーバ１０４には、複数のＩＣ（Integrated Circuit）カードスロット１０６〜１０８が配置されており、ＩＣカードからなる第１〜第３の放送再生用カード１１１〜１１３をセットするようになっている。
【０００８】
視聴契約情報管理サーバ１０４は、第１〜第３のデジタル放送受信装置１０１〜１０３のいずれかから番組の視聴の要求を受けると、第１〜第３の放送再生用カード１１１〜１１３のそれぞれ契約した放送局で視聴する番組が重複しないように第１〜第３の放送再生用カード１１１〜１１３を選択する。そして、第１〜第３のデジタル放送受信装置１０１〜１０３のうちの視聴の要求があった装置に対して、該当する番組のスクランブルの解除を行うようになっている。同一の番組について、第１〜第３のデジタル放送受信装置１０１〜１０３のうちの複数から番組の視聴の要求があった場合には、第１〜第３の放送再生用カード１１１〜１１３が同一時間帯で全体として許可される数だけの番組の視聴が可能になり、これらについてスクランブルの解除が行われる。このようにして、第１〜第３の放送再生用カード１１１〜１１３を共有する形で第１〜第３のデジタル放送受信装置１０１〜１０３は番組の視聴が可能になる。
【０００９】
ところが、この第１の提案では、視聴契約情報管理サーバ１０４という特別の装置が必要になる。しかも、この視聴契約情報管理サーバ１０４にすべての放送再生用カード１１１〜１１３をセットするようにしているので、放送再生用カードの数が多くなっていくと、これに対応させて視聴契約情報管理サーバ１０４を大型のものに交換するといった手間が必要となる。
【００１０】
一方、複数のデジタル放送受信装置のうちの１つの装置が放送再生用カードを装着するようにし、他のデジタル放送受信装置も装置間の通信によってこの放送再生用カードを共有することが第２の提案として提案されている（たとえば特許文献２参照）。この第２の提案によれば、第１の提案で必要とされた視聴契約情報管理サーバ１０４を不要にすることができる。
【特許文献１】特開２００２−０６４７９８号公報（第００５２段落〜第００５８段落、図１）
【特許文献２】特開２００６−１４８４８１号公報（第００２０段落、図１）
【発明の開示】
【発明が解決しようとする課題】
【００１１】
この第２の提案では、複数のデジタル放送受信装置が１つの放送再生用カードを共有するようになっている。ところが、この第２の提案によれば、放送再生用カードをなんら具備していないデジタル放送受信装置でも放送の受信ができてしまい、製品の購入時に放送再生用カードが備えられていない規格外のデジタル放送受信装置に受信を許すことになるという問題がある。また、それぞれ異なった番組（放送局）に対して視聴契約を行っている複数の放送再生用カードをユーザが所持している場合には、番組の視聴内容に応じてこれらの放送再生用カードを差し替える必要が生じる。この場合には、差し替えに起因する放送再生用カードの破損や紛失の恐れがある。
【００１２】
そこで本発明の目的は、それぞれの装置に装着した放送再生用カードを他装置と共有することのできる放送受信装置および放送受信制御プログラムを得ることにある。
【課題を解決するための手段】
【００１３】
請求項１記載の発明では、（イ）再生可能な放送の範囲をカード単位で特定するための放送再生用カードのいずれかを任意で選択して装着するために自装置に配置された放送再生用カード装着手段と、（ロ）この放送再生用カード装着手段に放送再生用カードが装着されているかどうかを判別する自装置放送再生用カード装着有無判別手段と、（ハ）伝送路を介して接続された１または複数の他装置に放送再生用カードのいずれかが装着されているかどうかをそれぞれ判別する他装置放送再生用カード装着有無判別手段と、（ニ）自装置放送再生用カード装着有無判別手段が自装置に放送再生用カードが装着されていると判別した状態で他装置放送再生用カード装着有無判別手段が前記した他装置の少なくとも１つについて放送再生用カードの装着を判別したとき、自装置および装着を判別された全部の他装置の放送再生用カードの特定した放送の全部を再生対象として選択可能にする放送選択手段とを放送受信装置に具備させる。
【００１４】
すなわち本発明では、放送受信装置が放送再生用カード装着手段を備えており、ここに再生可能な放送の範囲をカード単位で特定するための放送再生用カードのいずれかを放送の選局のために装着するようにしている。この放送受信装置は伝送路を介して１または複数の他の放送受信装置と接続可能になっている。そして、接続された他の放送受信装置が同様に放送再生のために放送再生用カードのいずれかを装着しているかどうかを他装置放送再生用カード装着有無判別手段で判別するようになっている。自装置放送再生用カード装着有無判別手段が自装置に放送再生用カードが装着されていると判別したときで他装置放送再生用カード装着有無判別手段が前記した他装置の少なくとも１つについて放送再生用カードの装着を判別したときには、放送選択手段が自装置および装着を判別された全部の他装置の放送再生用カードの特定した放送の全部を再生対象として選択可能にするようにしている。これにより、放送再生用カードの差し替えを行うことなく、視聴契約の異なる放送再生用カードを共有することによる視聴サービスの拡大が可能になる。
【００１５】
ただし、放送再生用カードを共有した場合であっても、他装置の放送再生用カードを伝送路を介して接続されたこれら他装置のいずれかが使用していれば直ちには使用することができない。このような場合には、他装置使用状況判別手段が判別した前記した他装置と自装置の放送の再生に関する優先順位を優先順位判別手段で判別して、自装置の方が優先順位が高いと判別したときのみ、その選択した放送を放送再生手段が再生することになる。
【００１６】
請求項２記載の発明では、（イ）再生可能な放送の範囲をカード単位で特定するための放送再生用カードのいずれかを任意で選択して装着するために自装置に配置された放送再生用カード装着手段と、（ロ）この放送再生用カード装着手段に放送再生用カードが装着されているかどうかを判別する自装置放送再生用カード装着有無判別手段と、（ハ）伝送路を介して接続された１または複数の他装置に放送再生用カードのいずれかが装着されているかどうかを判別する他装置放送再生用カード装着有無判別手段と、（ニ）自装置放送再生用カード装着有無判別手段が自装置に放送再生用カードが装着されていると判別した状態で他装置放送再生用カード装着有無判別手段が他装置の少なくとも１つについて放送再生用カードの装着を判別したとき、自装置あるいは前記した他装置に装着されている放送再生用カードが伝送路を介して接続された１または複数の他装置のいずれかによって使用されているかどうかを判別する他装置使用状況判別手段と、（ホ）この他装置使用状況判別手段が伝送路を介して接続された１または複数の他装置のいずれかが放送再生用カードを使用していると判別したとき、自装置と使用していると判別されたその他装置の放送の再生に関する優先順位を判別する優先順位判別手段と、（へ）この優先順位判別手段が自装置の方が優先順位が高いと判別したとき、それぞれの放送再生用カードの特定した放送の全部を再生対象として選択可能にし、前記したその他装置の方が優先順位が高いと判別したとき、前記したその他装置の放送再生用カードの特定した放送分を除いてこれらの放送再生用カードによって特定した放送の全部を再生対象として選択可能にする放送選択手段とを放送受信装置に具備させる。
【００１７】
すなわち本発明では、放送受信装置が放送再生用カード装着手段を備えており、ここに再生可能な放送の範囲をカード単位で特定するための放送再生用カードのいずれかを放送の選局のために装着するようにしている。この放送受信装置は伝送路を介して１または複数の他の放送受信装置と接続可能になっている。そして、接続された他の放送受信装置が同様に放送の選局のために放送再生用カードのいずれかを装着しているかどうかを他装置放送再生用カード装着有無判別手段で判別するようになっている。自装置放送再生用カード装着有無判別手段が自装置に放送再生用カードが装着されていると判別した状態で他装置放送再生用カード装着有無判別手段が他装置の少なくとも１つについて放送再生用カードの装着を判別したとき、他装置使用状況判別手段は、自装置あるいは他装置に装着されている放送再生用カードが伝送路を介して接続された１または複数の他装置のいずれかによって使用されているかどうかを判別する。自装置の放送再生用カードも判別の対象としたのは、他装置がこれを使用している可能性があるからである。この他装置使用状況判別手段が伝送路を介して接続された１または複数の他装置のいずれかが放送再生用カードを使用していると判別したときには、優先順位判別手段が自装置と使用していると判別されたその他装置の放送の再生に関する優先順位を判別する。そして、優先順位判別手段が自装置の方が優先順位が高いと判別したとき、それぞれの放送再生用カードの特定した放送の全部を再生対象として選択可能にする。また、前記したその他装置の方が優先順位が高いと判別したときには、前記したその他装置の放送再生用カードの特定した放送分を除いてこれらの放送再生用カードによって特定した放送の全部を再生対象として選択可能にするようにしている。これにより、放送再生用カードの差し替えを行うことなく、視聴契約の異なる放送再生用カードを共有することによる視聴サービスの拡大が可能になる。しかも、他装置との関係で自装置が選択できない再生対象は除外される。
【００１８】
請求項４記載の発明では、再生可能な放送の範囲をカード単位で特定するための放送再生用カードのいずれかを任意で選択して装着するための放送再生用カード装着手段を備えた放送受信装置のコンピュータに、放送受信制御プログラムとして（イ）自装置の放送再生用カード装着手段に放送再生用カードが装着されているかどうかを判別する自装置放送再生用カード装着有無判別処理と、（ロ）伝送路を介して接続された１または複数の他装置に放送再生用カードのいずれかが装着されているかどうかをそれぞれ判別する他装置放送再生用カード装着有無判別処理と、（ハ）自装置放送再生用カード装着有無判別処理で自装置に放送再生用カードが装着されていると判別した状態で他装置放送再生用カード装着有無判別処理で前記した他装置の少なくとも１つについて放送再生用カードの装着を判別したとき、自装置および装着を判別された全部の他装置の放送再生用カードの特定した放送の全部を再生対象として選択可能にする放送選択処理とを実行させることを特徴としている。
【００１９】
すなわち本発明では、まず自装置の放送再生用カード装着手段に放送再生用カードが放送再生のために装着されているかどうかを自装置放送再生用カード装着有無判別処理で判別し、装着されている場合には、次に、伝送路を介して接続された１または複数の他装置に放送再生のために放送再生用カードのいずれかが装着されているかどうかを他装置放送再生用カード装着有無判別処理で判別する。前記した他装置の少なくとも１つについて装着されている場合には、放送選択処理で自装置および装着を判別された全部の他装置の放送再生用カードの特定した放送の全部を再生対象として選択可能にするようにしている。これにより、放送再生用カードの差し替えを行うことなく、視聴契約の異なる放送再生用カードを共有することによる視聴サービスの拡大が可能になる。
【００２０】
ただし、放送再生用カードを共有した場合であっても、他装置の放送再生用カードを伝送路を介して接続されたこれら他装置のいずれかが使用していれば直ちには使用することができない。このような場合には、他装置使用状況判別処理で判別した前記した他装置と自装置の放送の再生に関する優先順位を優先順位判別処理で判別して、自装置の方が優先順位が高いと判別したときのみ、その選択した放送を放送再生手段が再生することになる。
【００２１】
請求項５記載の発明では、再生可能な放送の範囲をカード単位で特定するための放送再生用カードのいずれかを任意で選択して装着するための放送再生用カード装着手段を備えた放送受信装置のコンピュータに、放送受信制御プログラムとして（イ）自装置の放送再生用カード装着手段に放送再生用カードが装着されているかどうかを判別する自装置放送再生用カード装着有無判別処理と、（ロ）伝送路を介して接続された１または複数の他装置に放送再生用カードのいずれかが装着されているかどうかを判別する他装置放送再生用カード装着有無判別処理と、（ハ）自装置放送再生用カード装着有無判別処理で自装置に放送再生用カードが装着されていると判別した状態で他装置放送再生用カード装着有無判別処理によって他装置の少なくとも１つについて放送再生用カードの装着を判別したとき、自装置あるいは前記他装置に装着されている放送再生用カードが前記伝送路を介して接続された１または複数の他装置のいずれかによって使用されているかどうかを判別する他装置使用状況判別処理と、（ニ）この他装置使用状況判別処理で伝送路を介して接続された１または複数の他装置のいずれかが放送再生用カードを使用していると判別したとき、自装置と使用していると判別されたその他装置の放送の再生に関する優先順位を判別する優先順位判別処理と、（ホ）この優先順位判別処理で自装置の方が優先順位が高いと判別したとき、それぞれの放送再生用カードの特定した放送の全部を再生対象として選択可能にし、前記したその他装置の方が優先順位が高いと判別したとき、前記したその他装置の放送再生用カードの特定した放送分を除いてこれらの放送再生用カードによって特定した放送の全部を再生対象として選択可能にする放送選択処理とを実行させることを特徴としている。
【００２２】
すなわち本発明では、まず自装置の放送再生用カード装着手段に放送再生用カードが放送の選局のために装着されているかどうかを自装置放送再生用カード装着有無判別処理で判別し、装着されている場合には、次に、伝送路を介して接続された１または複数の他装置に放送の選局のために放送再生用カードのいずれかが装着されているかどうかを他装置放送再生用カード装着有無判別処理で判別する。他装置の少なくとも１つについて放送再生用カードの装着を判別したとき、自装置あるいは他装置に装着されている放送再生用カードが伝送路を介して接続された１または複数の他装置のいずれかによって使用されているかどうかを他装置使用状況判別処理で判別し、使用していると判別したとき、自装置と使用していると判別されたその他装置の放送の再生に関する優先順位を優先順位判別処理によって判別することにしている。放送選択処理では、優先順位判別処理で自装置の方が優先順位が高いと判別したとき、それぞれの放送再生用カードの特定した放送の全部を再生対象として選択可能にし、前記したその他装置の方が優先順位が高いと判別したとき、前記したその他装置の放送再生用カードの特定した放送分を除いてこれらの放送再生用カードによって特定した放送の全部を再生対象として選択可能にする。これにより、放送再生用カードの差し替えを行うことなく、視聴契約の異なる放送再生用カードを共有することによる視聴サービスの拡大が可能になる。しかも、他装置との関係で自装置が選択できない再生対象は除外される。
【発明の効果】
【００２３】
以上説明したように本発明によれば、複数の放送受信装置がそれぞれの装置に放送再生の条件として放送再生用カードを装着させた状態で、これらの放送再生用カードによって得られる視聴サービスを共有することができる。したがって、装置間でのＩＣカード等の放送再生用カードの入れ替えといった面倒な作業を省略することができ、放送再生用カードの破損や紛失を防止することができる。また、新たに追加した放送受信装置も視聴契約を追加することなく、既存の全放送再生用カードによるサービスを受けることができる。更に、放送再生用カードに適合する規格の放送受信装置にのみ放送の受信を許すことができる。
【００２４】
更に、本発明ではいずれの場合であっても、複数の放送再生用カードを特別の装置に物理的に集中させてそれぞれの放送受信装置を個別に管理するものではなく、それぞれの放送受信装置が再生可能な放送の範囲を分散管理することにしている。したがって、図１１に示した視聴契約情報管理サーバのような特別の装置が不要であり、システムを安価に構築することができる。また、システムが何らかの障害で一時的に運用できなくなったような場合にも、各放送受信装置は自装置に放送再生用カードをそれぞれ装着しているので、その再生可能な放送の範囲で最低限の受信環境を確保することができる。このため、災害時等の異常時においても放送再生を確保する強固な通信システムとして機能することになる。
【発明を実施するための最良の形態】
【００２５】
以下実施例につき本発明を詳細に説明する。
【実施例１】
【００２６】
図１は、本実施例のデジタル放送受信システムの回路構成の概要を表わしたものである。このデジタル放送受信システム２００は、第１および第２のデジタル放送受信装置２０１1、２０１2と、これらの間で情報通信を行うための情報通信路２０２によって構成されている。第１のデジタル放送受信装置２０１1は、メイン制御部２１１1を備えている。メイン制御部２１１1は、図示しないがＣＰＵ（Central Processing Unit）と、このＣＰＵが実行する制御プログラムを格納したＲＯＭ（Read Only Memory）や作業用メモリとしてのＲＡＭ（Random Access Memory）等の記憶媒体を備えている。メイン制御部２１１1は、カード情報の読み取りを行うカードリーダ部２１２1を接続している。カードリーダ部２１２1には、ＩＣカードとしての第１の放送再生用カード２１３1が装着されている。この第１の放送再生用カード２１３1は、番組データのスクランブルを解除するためのものであり、前記したＢ−ＣＡＳカードが代表的なものである。
【００２７】
第２のデジタル放送受信装置２０１2は、第１のデジタル放送受信装置２０１1と要部が基本的に同一の構成となっている。したがって、これらの各部品については、部品を表わす符号の添え字の「１」の代わりに「２」を付している。図２以降についても同様である。また、第２の放送再生用カード２１３2についても受信する放送の範囲は異なるが、その構成は第１の放送再生用カード２１３1と同様である。本実施例で情報通信路２０２は、通信ケーブルを使用している。有線による通信の代わりに無線による通信も可能である。
【００２８】
図２は、第１および第２のデジタル放送受信装置の構成を具体的に表わしたものである。ここでも第１のデジタル放送受信装置２０１1を中心に説明を行う。カードリーダ部２１２1は、ＩＣカード制御部２２１1とカードスロット部２２２1から構成されている。ＩＣカード制御部２２１1には、ＩＣカード用信号の入出力を行うＩＣカード入出力Ｉ／Ｆ（インターフェイス）部２２３1と制御通信部２２４1が配置されている。ＩＣカード制御部２２１1は、メイン制御部２１１1と同様に図示しないがＣＰＵと、このＣＰＵが実行する制御プログラムを格納したＲＯＭや作業用メモリとしてのＲＡＭ等の記憶媒体を備えている。
【００２９】
第１のデジタル放送受信装置２０１1の内部で、メイン制御部２１１1と第１の放送再生用カード２１３1は、ＩＣカード制御部２２１1とカードスロット部２２２1を介して第１のＩＣカード情報２３１11の通信を行うようになっている。同様に、第２のデジタル放送受信装置２０１2の内部で、メイン制御部２１１2と第２の放送再生用カード２１３2は、ＩＣカード制御部２２１2とカードスロット部２２２2を介して第２のＩＣカード情報２３１22の通信を行うようになっている。
【００３０】
また、第１のデジタル放送受信装置２０１1のメイン制御部２１１1と第２のデジタル放送受信装置２０１2に装着されている第２の放送再生用カード２１３2は、カードリーダ部２１２1内の制御通信部２２４1およびＩＣカード入出力Ｉ／Ｆ部２２３1と、情報通信路２０２、カードリーダ部２１２2内のＩＣカード入出力Ｉ／Ｆ部２２３2および制御通信部２２４2と、カードスロット部２２２2を介して第１第２のＩＣカード情報２３１12の通信を行うようになっている。同様に、第２のデジタル放送受信装置２０１2のメイン制御部２１１2と第１のデジタル放送受信装置２０１1に装着されている第１の放送再生用カード２１３1は、カードリーダ部２１２2内の制御通信部２２４2およびＩＣカード入出力Ｉ／Ｆ部２２３2と、情報通信路２０２、カードリーダ部２１２1内のＩＣカード入出力Ｉ／Ｆ部２２３1および制御通信部２２４1と、カードスロット部２２２1を介して第２第１のＩＣカード情報２３１21の通信を行うようになっている。
【００３１】
図３は、本実施例のデジタル放送受信システムでのデジタル放送受信装置同士の接続の様子を表わしたものである。第１および第２のデジタル放送受信装置２０１1、２０１2は、それぞれ液晶ディスプレイ２４１1、２４１2を備えており、装置間は通信ケーブルによる情報通信路２０２で接続されている。第１のデジタル放送受信装置２０１1の方には、第１の放送再生用カード２１３1が装着されており、第２のデジタル放送受信装置２０１2の方には、第２の放送再生用カード２１３2が装着されている。
【００３２】
これにより、第１のデジタル放送受信装置２０１1で第１の放送再生用カード２１３1を使用してこれに対応する範囲の放送局の番組を受信することができるだけでなく、第２の放送再生用カード２１３2を使用してこれに対応する範囲の放送局の番組を受信することができる。第２のデジタル放送受信装置２０１2でも、第２の放送再生用カード２１３2を使用してこれに対応する範囲の放送局の番組を受信することができるだけでなく、第１の放送再生用カード２１３1を使用してこれに対応する範囲の放送局の番組を受信することができる。
【００３３】
図４は、第１のデジタル放送受信装置の番組選択処理の流れを表わしたものである。第２のデジタル放送受信装置２０１2側の処理も第１のデジタル放送受信装置２０１1と基本的に同一なので、その図示および説明は省略する。図２および図３と共に説明する。
【００３４】
ユーザが第１のデジタル放送受信装置２０１1の電源を投入して、デジタル放送についての番組視聴モードを選択したとする（ステップＳ３０１：Ｙ）。なお、これ以外のモードが選択されたときには（ステップＳ３０１：Ｎ）、選択された他のモードの実行処理が行われる。なお、この場合には第１および第２の放送再生用カード２１３1の使用が問題となることはないので、その説明は省略する。デジタル放送についての番組視聴モードが選択されると（ステップＳ３０１：Ｙ）、メイン制御部２１１1はカードスロット部２２２1に第１の放送再生用カード２１３1が装着されているかどうかを判断する（ステップＳ３０２）。本実施例のデジタル放送受信システム２００では、第１のデジタル放送受信装置２０１1自体が放送再生用カード２１３を装着していない場合（Ｎ）、デジタル放送についての番組を視聴することができない。したがって、この場合には第１のデジタル放送受信装置２０１1の液晶ディスプレイ２４１1に、どの番組も視聴が不可能であることが表示されて（ステップＳ３０３）、処理が終了する（エンド）。この場合、購入したディスクで映画を見る等の他のモードへの移行が催促されるか、第１の放送再生用カード２１３1の装着が催促されることになる。
【００３５】
第１のデジタル放送受信装置２０１1に第１の放送再生用カード２１３1が正しく装着されていた場合（ステップＳ３０２：Ｙ）、メイン制御部２１１1は制御通信部２２４1を用いて、他の装置（ここでは、第２のデジタル放送受信装置２０１2）と通信が可能であるかどうかを判別する（ステップＳ３０４）。第２のデジタル放送受信装置２０１2と通信が可能でない場合には（Ｎ）、第１のデジタル放送受信装置２０１1である自装置の第１の放送再生用カード２１３1によって視聴できる番組（放送局）に対して選択を可とする表示がチューナ等の所定位置に行われる（ステップＳ３０５）。
【００３６】
一方、他の装置としての第２のデジタル放送受信装置２０１2との通信が可能な場合（ステップＳ３０４：Ｙ）、メイン制御部２１１1は第１第２のＩＣカード情報２３１12の通信によって、第２のデジタル放送受信装置２０１2のカードスロット部２２２2に第２の放送再生用カード２１３2が装着されているかどうかを判別する（ステップＳ３０６）。第２の放送再生用カード２１３2が装着されていない場合には（Ｎ）、これを活用とすることができないので、ステップＳ３０５に処理が移行する。
【００３７】
第２の放送再生用カード２１３2が装着されている場合には（ステップＳ３０６：Ｙ）、これが第２のデジタル放送受信装置２０１2で使用中であるかどうかの判別が行われる（ステップＳ３０７）。第１のデジタル放送受信装置２０１1および第２のデジタル放送受信装置２０１2は、それぞれ自装置の放送再生用カード２１３1あるいは２１３2が使用中であるか否かをフラグのオン・オフによって管理している。第２のデジタル放送受信装置２０１2が第２の放送再生用カード２１３2を使用していない場合、すなわちそのフラグがオフとなっている場合（ステップＳ３０７：Ｎ）、第１のデジタル放送受信装置２０１1はこれを使用することができる。したがって、この場合には第１の放送再生用カード２１３1と第２の放送再生用カード２１３2の双方によって視聴できる番組（放送局）に対して選択を可とする表示が第１のデジタル放送受信装置２０１1のチューナ等の所定位置に対して行われることになる（ステップＳ３０８）。
【００３８】
これに対して、第２のデジタル放送受信装置２０１2が第２の放送再生用カード２１３2を使用していた場合には（ステップＳ３０７：Ｙ）、この第２のデジタル放送受信装置２０１2に対して通信を行って（ステップＳ３０９）、第１のデジタル放送受信装置２０１1が第２の放送再生用カード２１３2を使用できるかどうかを判別する（ステップＳ３１０）。本実施例では、両装置２０１1、２０１2に事前に設定されている優先順位を比較することによってこの判別を行うようにしている。
【００３９】
図５は、ステップＳ３０９の通信処理を具体的に表わしたものである。まず、第１のデジタル放送受信装置２０１1は、第２の放送再生用カード２１３2の使用についての第２のデジタル放送受信装置２０１2側で設定している優先度の取得を要求する（ステップＳ３２１）。第２のデジタル放送受信装置２０１2のメイン制御部２１１2はこの要求を受け取ると、図示しない不揮発性メモリにユーザが書き込んでいる第２のデジタル放送受信装置２０１2用の優先順位を読み出して第１のデジタル放送受信装置２０１1へ返信する。したがって、第１のデジタル放送受信装置２０１1は第２のデジタル放送受信装置２０１2からこの優先順位を受信すると（ステップＳ３２２：Ｙ）、自装置の不揮発性メモリにユーザが書き込んでいる第１のデジタル放送受信装置２０１1用の優先順位を読み出して両者を比較する（ステップＳ３２３）。
【００４０】
なお、両装置２０１1、２０１2に設定されている優先順位は、いつでもユーザあるはシステムの管理者が変更することができるようになっている。優先順位は数値で表わされ、たとえば５段階のうちのいずれかの値を装置ごとに重複しないように採用している。ここでは、数値が大きいほど優先順位が高いものとし、第１のデジタル放送受信装置２０１1の優先順位は「４」であり、第２のデジタル放送受信装置２０１2の優先順位は「２」であるものとする。この例の場合、第１のデジタル放送受信装置２０１1の方が第２のデジタル放送受信装置２０１2よりも優先順位が高いことになる。
【００４１】
図４に戻って説明を続ける。前記した例では第１のデジタル放送受信装置２０１1が第２のデジタル放送受信装置２０１2の第２の放送再生用カード２１３2を使用できることになる。したがって、ステップＳ３１０の判別は、他装置の番組を選択可能ということになる。この場合には（Ｙ）、ステップＳ３０８に進んで、第１の放送再生用カード２１３1と第２の放送再生用カード２１３2の双方によって視聴できる番組（放送局）に対して選択を可とする表示が第１のデジタル放送受信装置２０１1のチューナ等の所定位置に対して行われる。
【００４２】
ステップＳ３１０で他装置の番組を選択不可能であると判別された場合には（Ｎ）、ステップＳ３０５に進んで第１の放送再生用カード２１３1によって視聴できる番組（放送局）に対して選択を可とする表示がチューナ等の所定位置に行われることになる。
【００４３】
このように実施例では、第１の放送再生用カード２１３1を装着した第１のデジタル放送受信装置２０１1を番組視聴モードに設定すると、情報通信路２０２を介して接続された第２のデジタル放送受信装置２０１2の第２の放送再生用カード２１３2との関係で選択できる番組（あるいは放送局）が表示されることになる。したがって、ユーザは、状況によって、選択可とされた番組の中から所望のものを選択して視聴することになる。
【００４４】
図６は、第１のデジタル放送受信装置側でユーザが番組を選択した場合の処理の流れを表わしたものである。第２のデジタル放送受信装置２０１2側の処理も第１のデジタル放送受信装置２０１1と基本的に同一なので、その図示および説明は省略する。図２および図３と共に説明する。
【００４５】
第１のデジタル放送受信装置２０１1側でユーザが第１の放送再生用カード２１３1によって選択可とされた番組の１つを選択した場合には（ステップＳ３４１：Ｙ）、その番組の視聴が開始され（ステップＳ３４２）、自装置カードとしての第１の放送再生用カード２１３1について使用中を示すフラグがオンとなる（ステップＳ３４３）。
【００４６】
第２のデジタル放送受信装置２０１2側のユーザが第１の放送再生用カード２１３1によって選択可とされた番組の１つを選択した場合には、第１のデジタル放送受信装置２０１1に対して第１の放送再生用カード２１３1の使用要求が送られてくることになる。この使用要求を第１のデジタル放送受信装置２０１1側が受信すると（ステップＳ３４４：Ｙ）、第１の放送再生用カード２１３1が第１のデジタル放送受信装置２０１1側で使用中であるかどうかの判別が行われる（ステップＳ３４５）。使用中であるとは、第１のデジタル放送受信装置２０１1側が第１の放送再生用カード２１３1を使用して番組を見ていることを意味する。
【００４７】
第１の放送再生用カード２１３1を第１のデジタル放送受信装置２０１1側が使用中でない場合には（ステップＳ３４５：Ｎ）、第２のデジタル放送受信装置２０１2は第１の放送再生用カード２１３1の使用が可能である。そこで使用を確保するために、ステップＳ３４３に進んで、第１の放送再生用カード２１３1についての使用中を示すフラグをオンにする。たとえば、第１のデジタル放送受信装置２０１1側が第２の放送再生用カード２１３2を使用して番組を見ている場合も、これに該当する。
【００４８】
これに対して、第１のデジタル放送受信装置２０１1側が第１の放送再生用カード２１３1を使用中に第２のデジタル放送受信装置２０１2からこの第１の放送再生用カード２１３1の使用を要求してくる場合があり得る。これは、優先順位が第１のデジタル放送受信装置２０１1よりも第２のデジタル放送受信装置２０１2の方が高いような場合である。この状況で、第１のデジタル放送受信装置２０１1側のユーザは第１の放送再生用カード２１３1を使用して番組を視聴している（ステップＳ３４５：Ｙ）。したがって、この例の場合には第１のデジタル放送受信装置２０１1側の液晶ディスプレイ２４１1に、「優先順位の高い装置側が視聴しますので、番組の受信を終了します。」といったような表示が行われて（ステップＳ３４６）、その番組の視聴が終了する（エンド）。これは、第１のデジタル放送受信装置２０１1と第２のデジタル放送受信装置２０１2の双方で第１の放送再生用カード２１３1を同時に使用して番組の視聴を行うことが禁じられているからである。
【００４９】
これとは逆に、第１のデジタル放送受信装置２０１1側が図４のステップＳ３０８で第２の放送再生用カード２１３2によって視聴できる番組を選択した場合を考える（ステップＳ３４７：Ｙ）。この場合、第１のデジタル放送受信装置２０１1は第２のデジタル放送受信装置２０１2に対して第２の放送再生用カード２１３2の使用要求を送信する（ステップＳ３４８）。第２のデジタル放送受信装置２０１2は前記した「優先順位の高い装置側が視聴しますので、番組の受信を終了します。」といったような表示を行って、第２の放送再生用カード２１３2の使用要求に応答を送信する。第１のデジタル放送受信装置２０１1はこの応答を受信すると（ステップＳ３４９：Ｙ）、第２の放送再生用カード２１３2を使用した番組の視聴を開始する（ステップＳ３５０）。
【００５０】
以上説明した実施例では、第１のデジタル放送受信装置２０１1と第２のデジタル放送受信装置２０１2がそれぞれの契約に基づいた放送再生用カード２１３1、２１３2を装着したままの状態であり、これらを入れ替える必要がない。したがって、入れ替えに起因する放送再生用カード２１３1、２１３2の破損や紛失を防止することができる。また、サーバ等の統括装置を使用していないので、システム構成が単純となる。
【００５１】
また、番組あるいは放送局についての競合が生じたときに優先順位によって視聴できるデジタル放送受信装置を決定することにしたので、ユーザ間で調整を図るよりも迅速な対応が可能となる。また、優先順位の高いデジタル放送受信装置側に録画装置等の付属機器を集中的に備えるようにしておけば、他の装置で契約した番組あっても必要なときには優先して受信し付属機器を活用することができる。
【００５２】
なお、以上説明した実施例では、図４のステップＳ３０２で第１のデジタル放送受信装置２０１1のカードスロット部２２２1に第１の放送再生用カード２１３1（あるいは第２の放送再生用カード２１３2）が装着されていないとき、いずれの番組も視聴ができないものとした（ステップＳ３０３）。しかしながら、たとえば公共放送やコマーシャルやショッピング番組のみを放送する専門チャネルが、これらの放送再生用カード２１３1、２１３2の装着の有無に係わらず、これらの番組（あるいは放送局）にスクランブルを掛けず視聴を許可している場合には、これらの番組について視聴を可とする表示を行ってもよいことは当然である。
【００５３】
＜発明の第１の変形例＞
【００５４】
図７は、本発明の第１の変形例によるデジタル放送受信システムを表わしたものである。この第１の変形例のデジタル放送受信システム２００Ａでは、第１のデジタル放送受信装置２０１Ａ1が通信ケーブルとしての情報通信路２０２12を介して第２のデジタル放送受信装置２０１Ａ2と接続されている。第２のデジタル放送受信装置２０１Ａ2は情報通信路２０２23を介して第３のデジタル放送受信装置２０１Ａ3とも接続されている。すなわち、このデジタル放送受信システム２００Ａでは、情報通信路２０２12、２０２23、……をシリアルに接続していくことで、３台以上の任意の数のデジタル放送受信装置２０１Ａを直列接続することができる。
【００５５】
図８は、この第１の変形例における第２のデジタル放送受信装置の回路構成の概要を表わしたものである。図８で図２と同一部分には同一の符号を付しており、これらの説明を適宜省略する。また、第１のデジタル放送受信装置２０１Ａ1および第３のデジタル放送受信装置２０１Ａ3は、第２のデジタル放送受信装置２０１Ａ2と要部が基本的に同一の回路構成となっているので、これらの図示および説明を省略する。ただし、直列に複数接続されたデジタル放送受信装置２０１Ａ1、２０１Ａ2、２０１Ａ3、……のうちで両端部に位置する２台のデジタル放送受信装置２０１Ａ（図７に示す例では、第１のデジタル放送受信装置２０１Ａ1および第３のデジタル放送受信装置２０１Ａ3）の回路構成は、図２に示した回路構成と要部が基本的に同一であってもよい。
【００５６】
第２のデジタル放送受信装置２０１Ａ2のカードリーダ部２１２Ａ2は、ＩＣカード制御部２２１Ａ2とカードスロット部２２２2から構成されている。ＩＣカード制御部２２１Ａ2には、ＩＣカード用信号の入出力を行う第１のＩＣカード入出力Ｉ／Ｆ（インターフェイス）部２２３Ａ21と、同様にＩＣカード用信号の入出力を行う第２のＩＣカード入出力Ｉ／Ｆ部２２３Ａ22と、これらの制御を行う制御通信部２２４Ａ2が配置されている。
【００５７】
このように第２のデジタル放送受信装置２０１Ａ2は、第１のＩＣカード入出力Ｉ／Ｆ部２２３Ａ21と第２のＩＣカード入出力Ｉ／Ｆ部２２３Ａ22の２つのＩＣカード入出力Ｉ／Ｆ部を備えている。したがって、たとえば第１のＩＣカード入出力Ｉ／Ｆ部２２３Ａ21を、情報通信路２０２12を介して図７に示した第１のデジタル放送受信装置２０１Ａ1と接続すると共に、第２のＩＣカード入出力Ｉ／Ｆ部２２３Ａ22を、情報通信路２０２23を介して図７に示した第３のデジタル放送受信装置２０１Ａ3と接続することができる。
【００５８】
ＩＣカード制御部２２１Ａ2と接続されるメイン制御部２１１Ａ2は、自装置の第２の放送再生用カード２１３2に関する情報だけでなく、複数の情報通信路２０２12、２０２23を介して図７に示した他装置としての第１のデジタル放送受信装置２０１Ａ1の第１の放送再生用カード２１３1に関する情報と、第３のデジタル放送受信装置２０１Ａ3の第３の放送再生用カード２１３3に関する情報を取得することができる。
【００５９】
したがって、デジタル放送受信システム２００Ａを構成する全放送再生用カード２１３1〜２１３3を第１〜第３のデジタル放送受信装置２０１Ａ1〜２０１Ａ3が共有することができる。また、第１〜第３のデジタル放送受信装置２０１Ａ1〜２０１Ａ3に優先順位を定めることで、放送再生用カード２１３1〜２１３3の使用について競合が発生したときにこれを自動的に調整することができることになる。
【００６０】
＜発明の第２の変形例＞
【００６１】
図９は、本発明の第２の変形例によるデジタル放送受信システムを表わしたものである。この第２の変形例のデジタル放送受信システム２００Ｂでは、第１のデジタル放送受信装置２０１Ｂ1がＬＡＮ（Local Area Network）ケーブル４０１1の一端に接続されており、他端が集中結線装置としてのハブ（HUB）４０２の１つのポートに接続されている。第２のデジタル放送受信装置２０１Ｂ2もＬＡＮケーブル４０１2の一端に接続されており、他端がハブ４０２の他のポートに接続されている。
【００６２】
この図９ではＬＡＮを構成する最もシンプルな場合として第１のデジタル放送受信装置２０１Ｂ1と第２のデジタル放送受信装置２０１Ｂ2がＬＡＮに接続されている場合を示しているが、更に多くのデジタル放送受信装置２０１Ｂを接続することができる。この第２の変形例では、実施例の図２に示したＩＣカード入出力Ｉ／Ｆ部２２３をイーサネット（登録商標）のパケット通信用のインターフェイス回路に変更すればよい。
【００６３】
デジタル放送受信システム２００ＢでＬＡＮに第１〜第Ｎのデジタル放送受信装置２０１Ｂ1〜２０１ＢNが接続されているとする。ここでＮは２以上の整数である。この場合、たとえば第１のデジタル放送受信装置２０１Ｂ1は、残りの第２〜第Ｎのデジタル放送受信装置２０１Ｂ2〜２０１ＢNのそれぞれが送出したパケットが第１のデジタル放送受信装置２０１Ｂ1を宛先としていない場合でも傍受することができる。したがって、第１〜第Ｎのデジタル放送受信装置２０１Ｂ1〜２０１ＢNによって共有される第１〜第Ｎの放送再生用カード２１３Ｂ1〜２１３ＢNの使用状況を簡単に把握することができる。これにより、第１〜第Ｎの放送再生用カード２１３Ｂ1〜２１３ＢNのうちの使用されていないカードの有効活用を図ることができる。また、第１〜第Ｎのデジタル放送受信装置２０１Ｂ1〜２０１ＢNが固有の優先順位を有するようにすることで、第１〜第Ｎの放送再生用カード２１３Ｂ1〜２１３ＢNの使用管理を簡素化することができる。
【００６４】
＜発明の第３の変形例＞
【００６５】
図１０は、本発明の第３の変形例によるデジタル放送受信システムを表わしたものである。この第３の変形例のデジタル放送受信システム２００Ｃでは、第１のデジタル放送受信装置２０１Ｃ1と第２のデジタル放送受信装置２０１Ｃ2が無線４１１で通信するようになっている。通信の形態は、実施例で説明したような１対１の無線通信であってもよいし、第１の変形例で説明したような２台以上の複数装置間の無線通信であってもよい。また、第２の変形例で説明したようなＬＡＮを無線化したものであってもよい。
【００６６】
更に、実施例および各変形例の組み合わせとして、本発明のデジタル放送受信システムは、複数の通信形態が混合されたものであってもよい。また、実施例では放送再生用カードとしてＩＣカードを使用したが、スクランブルや暗号を解除するための一部または全部の情報を所持するものであればよく、ＩＣカードに限定されるものでないことは当然である。
【００６７】
また、実施例では他装置が番組（放送局）の視聴中であった場合には優先順位との関係で自装置が優位に立っているかどうかを判別して、優位に立っているときのみその他装置の番組（放送局）も選択可能にしたが、他装置が番組（放送局）の視聴中であった場合にはそれを無条件に視聴の対象から除外してもよい。また、反対に他装置が番組（放送局）の視聴中であるか否かに係わらず、すべてを視聴のための選択対象とし、自装置のユーザがその他装置の番組（放送局）を選択したときのみ、その他装置との間で視聴の調整を行うようにしてもよい。この場合には、１つの放送受信装置のユーザが通信手段によって連携したすべての放送受信装置の受信できる番組（放送局）を把握することができるので、その番組（放送局）を視聴するための方策を考察することが可能になる。
【図面の簡単な説明】
【００６８】
【図１】本発明の一実施例におけるデジタル放送受信システムの回路構成の概要を表わしたブロック図である。
【図２】本実施例の第１および第２のデジタル放送受信装置の構成を具体的に表わしたブロック図である。
【図３】本実施例のデジタル放送受信システムでのデジタル放送受信装置同士の接続の様子を表わしたシステム構成図である。
【図４】本実施例で第１のデジタル放送受信装置の番組選択処理を表わした流れ図である。
【図５】ステップＳ３０９の通信処理を具体的に表わした流れ図である。
【図６】本実施例で第１のデジタル放送受信装置側でユーザが番組を選択した場合の処理を示す流れ図である。
【図７】本発明の第１の変形例によるデジタル放送受信システムを表わしたシステム構成図である。
【図８】第１の変形例における第２のデジタル放送受信装置の回路構成の概容を表わしたブロック図である。
【図９】本発明の第２の変形例によるデジタル放送受信システムの簡易化された構成図である。
【図１０】本発明の第３の変形例によるデジタル放送受信システムの簡易化された構成図である。
【図１１】従来の第１の提案におけるデジタル放送受信システムの概要を表わしたブロック図である。
【符号の説明】
【００６９】
２００、２００Ａ、２００Ｂ、２００Ｃ  デジタル放送受信システム
２０１、２０１Ａ、２０１Ｂ、２０１Ｃ  デジタル放送受信装置
２０２  情報通信路
２１１、２１１Ａ  メイン制御部
２１２、２１２Ａ  カードリーダ部
２１３  放送再生用カード
２２２  カードスロット部
２２３、２２３Ａ  ＩＣカード入出力Ｉ／Ｆ部
２２４、２２４Ａ  制御通信部
４０１  ＬＡＮケーブル
４１１  無線
【図１】
2008054039.tif 000003
【図２】
2008054039.tif 000004
【図３】
2008054039.tif 000005
【図４】
2008054039.tif 000006
【図５】
2008054039.tif 000007
【図６】
2008054039.tif 000008
【図７】
2008054039.tif 000009
【図８】
2008054039.tif 000010
【図９】
2008054039.tif 000011
【図１０】
2008054039.tif 000012
【図１１】
2008054039.tif 000013